(57)【要約】【課題】  農作物自体を傷つけずに効率的な防除作業を可能にするデバイダを提供することである。【解決手段】  長さ方向部材（１２）と、長さ方向部材と直交するように配置された横方向部材（１６）と、横方向部材の両端に、ほぼ水平に寝かせた状態で回転可能にそれぞれ取り付けられた車輪（１８）とを備えていることを特徴とするデバイダ（１０）が提供される。好ましくは、車輪は、水平面に対して前方かつ外方に微小角度傾斜させた状態で横方向部材に取り付けられている。【選択図】  図１
2011062092.tif 000002
【特許請求の範囲】
【請求項１】
農作物の防除作業に用いられるデバイダであって、
長さ方向部材と、
前記長さ方向部材と直交するように配置された横方向部材と、
前記横方向部材の両端に、ほぼ水平に寝かせた状態で回転可能にそれぞれ取り付けられた車輪と、
を備えていることを特徴とするデバイダ。
【請求項２】
前記長さ方向部材の先端部分に配置された、ほぼ円錐形又はｎ角錐形（ｎ≧３）の先端部を更に備えていることを特徴とする請求項１に記載されたデバイダ。    
【請求項３】
前記長さ方向部材の先端部分に収束するように取り付けられた複数本のそらせ用鉄棒を更に備えていることを特徴とする請求項１又は２に記載されたデバイダ。
【請求項４】
前記長さ方向部材と直交するように配置された第２の横方向部材を更に備え、前記第２の横方向部材の両端に、ほぼ水平に寝かせた状態の車輪が回転可能に取り付けられていることを特徴とする請求項１から請求項３までのいずれか１項に記載されたデバイダ。
【請求項５】
前記車輪が、水平面に対して前方かつ外方に微小角度傾斜させた状態で横方向部材に取り付けられていることを特徴とする請求項１から請求項４までのいずれか１項に記載されたデバイダ。
【発明の詳細な説明】
【技術分野】
【０００１】
本発明は一般に、デバイダに関する。より詳細には、本発明は、農作物の防除作業において葉や根などを掻き分けるためのデバイダに関する。本発明のデバイダは、豆類、玉ねぎ、じゃがいも、ビート等の防除作業において用いられる。
【背景技術】
【０００２】
豆類、玉ねぎ、じゃがいも、ビート等の農作物の生育過程において病虫害を防止すべく防除作業が行われる。このような防除作業においては、葉や根が繁茂し絡みついているため、葉や根を掻き分けて作業を行う必要がある。
【発明の開示】
【発明が解決しようとする課題】
【０００３】
しかしながら、従来、防除作業における葉や根を掻き分けは、機械や手作業に依存しているため、掻き分け時に農作物自体を傷つけたり、時間がかかったりする等して、作業効率が悪いという弊害があった。
【０００４】
本発明は、このような状況に鑑みて案出されたものであって、農作物自体を傷つけずに効率的な防除作業を可能にするデバイダを提供することを目的としている。
【課題を解決するための手段】
【０００５】
本願請求項１に記載のデバイダは、長さ方向部材と、前記長さ方向部材と直交するように配置された横方向部材と、前記横方向部材の両端に、ほぼ水平に寝かせた状態で回転可能にそれぞれ取り付けられた車輪とを備えていることを特徴とするものである。
【０００６】
本願請求項２に記載のデバイダは、前記請求項１のデバイダにおいて、前記長さ方向部材の先端部分に配置された、ほぼ円錐形又はｎ角錐形（ｎ≧３）の先端部を更に備えていることを特徴とするものである。
【０００７】
本願請求項３に記載のデバイダは、前記請求項１又は２のデバイダにおいて、前記長さ方向部材の先端部分に収束するように取り付けられた複数本のそらせ用鉄棒を更に備えていることを特徴とするものである。
【０００８】
本願請求項４に記載のデバイダは、前記請求項１から請求項３までのいずれか１項のデバイダにおいて、前記長さ方向部材と直交するように配置された第２の横方向部材を更に備え、前記第２の横方向部材の両端に、ほぼ水平に寝かせた状態の車輪が回転可能に取り付けられていることを特徴とするものである。
【０００９】
本願請求項５に記載のデバイダは、前記請求項１から請求項４までのいずれか１項のデバイダにおいて、前記車輪が、水平面に対して前方かつ外方に微小角度傾斜させた状態で横方向部材に取り付けられていることを特徴とするものである。
【発明の効果】
【００１０】
本発明によれば、豆類、玉ねぎ、じゃがいも、ビート等の防除作業に際して、農作物自体を傷つけずに、葉や根を効率的に掻き分けて農薬を散布することができる。とりわけ、車輪径や車輪取付位置（横方向部材の長さ）を適宜調整することにより、所望の幅で掻き分け作業を行うことが可能になる。本発明のデバイダは、自転車の車輪を利用することができるため、製造コストを廉価に抑えることができる。また、本発明のデバイダは、構造が簡単であるため、故障するおそれも少なく、メンテナンスコストを安価に保持することができる。
【発明を実施するための最良の形態】
【００１１】
次に添付図面を参照して、本発明の好ましい実施の形態に係るデバイダについて詳細に説明する。図１は、本発明の第１の実施の形態に係るデバイダを示した斜視図である。図１において全体として参照符号１０で示される本発明の第１の実施の形態に係るデバイダは、長さ方向部材１２を備えている。長さ方向部材１２は好ましくは、作業時に葉や根を掻き分け易いように、先端部分が下方に湾曲しており、先端部分に、ほぼ円錐形の先端部１４が取り付けられている。長さ方向部材１２は、角パイプや丸パイプ等の適当な金属材料で形成されている。なお、先端部１４は、ほぼ円錐形の形状を有するものとして図示されているが、ｎ角錐（ｎ≧３）の形状に形作ってもよい。
【００１２】
デバイダ１０は又、長さ方向部材１２と直交するように配置された横方向部材１６を備えており、横方向部材１６の両端には、ほぼ水平に寝かせた状態で車輪１８がそれぞれ回転可能に取り付けられている。なお、車輪１８は、詳細には後述するように葉や根を掻き分け易いように、水平面に対して前方かつ外方に微小角度（２０度以下）傾斜させた状態で横方向部材１６に取り付けるのが好ましい。ここで、「前方」とは、デバイダ１０の進行方向の側を意味し、「外方」とは、長さ方向部材１２から遠ざかる方向を意味する（図１参照）。
【００１３】
横方向部材１６は、締金２０ａ付きの垂直部材２０にボルト留めされており、締金２０ａを長さ方向部材１２に嵌め込んでボルト留めすることにより、長さ方向部材１２の所望箇所に装着することができるようになっている。
【００１４】
デバイダ１０は又、デバイダ１０を走行させるための走行車輪２２と、デバイダ１０をトラクタに連結するための連結部材２４とを備えている。なお、参照符号２４ａ、２４ｂは、衝撃吸収用バネ材、ツールバー取付用締金をそれぞれ示している。
【００１５】
デバイダ１０は更に、先端方向に収束するように先端部１４に取り付けられた複数本のそらせ用鉄棒２６と、先端部１４から前方に延びるように取り付けられた先導用鉄棒２８とを備えている。
【００１６】
図２は、デバイダ１０のトラクタへの取り付け状態の一例を示した斜視図である。すなわち、マスト３０を有するツールバー３２の適所に、連結部材２４の締金２４ｂを介してデバイダ１０を取り付け、マスト３０をトラクタ（図示せず）の油圧３点支持装置に連結することによって、デバイダ１０がトラクタに取り付けられる。
【００１７】
図３は、デバイダ１０の変形形態を示した側面図である。図３において示されるデバイダ１０は、車輪１８が二対設けられている点を除いて、図１に示されるデバイダ１０と実質的に同一の構成を有している。
【００１８】
図４は、本発明の第２の実施の形態に係るデバイダを示した斜視図である。図４において全体として参照符号４０で示される本発明の第２の実施の形態に係るデバイダは、作業者が押して防除作業を行う手動式のものである点を除いて、トラクタ等の駆動式農機具に連結して作業を行うように構成されたデバイダ１０と実質的に同一の構成を有している。
【００１９】
より詳細に説明すると、デバイダ４０は、長さ方向部材４２と、長さ方向部材４２の先端部分に設けられた、ほぼ円錐形の先端部４４と、長さ方向部材４２と直交するように配置された横方向部材４６と、横方向部材４６の両端に、ほぼ水平に寝かせた状態で回転可能にそれぞれ取り付けられた車輪４８と、横方向部材４６を長さ方向部材４２に取り付けるための垂直部材５０と、走行車輪５２と、そらせ用鉄棒５６と、先導用鉄棒５８と、作業用ハンドル６０とを備えている。なお、デバイダ４０の操作性を考慮して、補助車輪６２を配置してもよい。
【００２０】
図５は、デバイダ１０を使用して防除作業を行っている状態を模式的に示した図である（図５では、デバイダ１０を牽引するトラクタは図示されていない）。防除作業を行うに際しては、デバイダ１０を圃場に配置して押していくと、先端部１４によって掻き分けられた葉や根が車輪１８に接触する。デバイダ１０を更に押すと、接触している葉や根との摩擦のため車輪１８が回転して、葉や根が左右に掻き分けられるので、この状態で農薬を散布すると、農作物自体を傷つけずに、葉や根の深部にまで農薬を行き渡らせることができる。なお、そらせ用鉄棒２６によっても、葉や根が掻き分けられるので、一層効率的に作業を行うことができる。デバイダ４０についても、人力で押す点を除いて、デバイダ１０と同様に使用される。
【００２１】
本発明は、以上の発明の実施の形態に限定されることなく、特許請求の範囲に記載された発明の範囲内で、種々の変更が可能であり、それらも本発明の範囲内に包含されるものであることはいうまでもない。
【００２２】
たとえば、前記実施の形態において示された車輪の形状、配置箇所や作業用ハンドルの形状等は、単なる例示的に示したものにすぎず、他の形状等にしてもよい。走行車輪２２、５２の代わりに、或いは走行車輪２２、５２に加えて、走行用のそり（図示せず）を配置してもよい。
【図面の簡単な説明】
【００２３】
【図１】本発明の第１の実施の形態に係るデバイダを示した斜視図である。
【図２】図１のデバイダのトラクタへの取り付け状態を示した斜視図である。
【図３】図１のデバイダの変形形態を示した側面図である。
【図４】本発明の第２の実施の形態に係るデバイダを示した側面図である。
【図５】図１のデバイダを使用して防除作業を行っている状態を模式的に示した図である。
【符号の説明】
【００２４】
１０、４０  デバイダ
１２、４２  長さ方向部材
１４、４４  先端部
１６、４６  横方向部材
１８、４８  車輪
２０、５０  垂直部材
２２、５２  走行車輪
２４  連結部材
２６、５６  そらせ用鉄棒
２８、５８  先導用鉄棒
３０  マスト
３２  ツールバー
６０  作業用ハンドル
６２  補助車輪
【図１】
2011062092.tif 000003
【図２】
2011062092.tif 000004
【図３】
2011062092.tif 000005
【図４】
2011062092.tif 000006
【図５】
2011062092.tif 000007